(57)【要約】【課題】無線ＬＡＮサービスを提供するアクセスポイントに対して設定情報の変更を行うことができる設定情報サーバ、アクセスポイント、通信設定システム、情報提供方法、通信設定方法、情報提供プログラム及び通信設定プログラムを提供する。【解決手段】無線ＬＡＮサービスを提供する事業者を識別する事業者識別情報と、アクセスポイントの無線通信の設定に関する情報である設定情報とを関連付けて格納する設定情報格納部と、アクセスポイントから事業者識別情報を含み利用者端末が無線ＬＡＮサービスを利用するための認証を要求する認証要求を受信する第１受信部と、受信した認証要求に含まれる事業者識別情報に基づいて設定情報格納部から事業者識別情報に関連付けられた設定情報を取得して、取得した設定情報を含む認証要求に応答する認証応答をアクセスポイントへ送信する設定情報処理部とを備える。【選択図】図２
2017050785.tif 000002
【特許請求の範囲】
【請求項１】
利用者端末に対してアクセスポイントを利用して無線ＬＡＮサービスを提供する事業者を識別する事業者識別情報と、前記アクセスポイントの無線通信の設定に関する情報である設定情報とを関連付けて格納する設定情報格納部と、
前記アクセスポイントから前記事業者識別情報を含み前記利用者端末が前記無線ＬＡＮサービスを利用するための認証を要求する認証要求を受信する第１受信部と、
前記第１受信部が受信した前記認証要求に含まれる前記事業者識別情報に基づいて前記設定情報格納部から前記事業者識別情報に関連付けられた設定情報を取得して、取得した設定情報を含む前記認証要求に応答する認証応答を前記アクセスポイントへ送信する設定情報処理部と、
を備える設定情報サーバ。
【請求項２】
前記アクセスポイントに関する情報を前記事業者識別情報と関連付けて格納するアクセスポイント情報格納部をさらに備え、
前記設定情報処理部は、前記アクセスポイント情報格納部を参照して前記設定情報を更新する事業者の前記事業者識別情報に対応するアクセスポイントを特定して、特定したアクセスポイントに対して前記設定情報の取得を促すメッセージを送信する請求項１に記載の設定情報サーバ。
【請求項３】
前記認証要求および前記認証応答はＲａｄｉｕｓプロトコルを用いたものである請求項１又は請求項２に記載の設定情報サーバ。
【請求項４】
前記設定情報の取得を促す前記メッセージは、Ｒａｄｉｕｓ  ＣｏＡ  Ｒｅｑｕｅｓｔである請求項２に記載の設定情報サーバ。
【請求項５】
利用者端末と無線ＬＡＮサービスを提供するための無線通信を行う無線通信部と、
前記無線ＬＡＮサービスを提供する事業者を識別する事業者識別情報と、前記無線通信部における無線通信の設定に関する情報である設定情報とを関連付けて保持する設定情報サーバに対して、前記事業者識別情報を含み前記利用者端末が前記無線ＬＡＮサービスを利用するための認証を要求する認証要求を送信する認証処理部と、
前記設定情報サーバより前記認証要求に対する応答として、前記認証要求に含まれる前記事業者識別情報に対応する前記設定情報を含む認証応答を受信する第２受信部と、
前記第２受信部が受信した前記認証応答に含まれる前記設定情報に応じて前記無線通信部に対して無線通信の設定を行う通信設定部と、
を備えるアクセスポイント。
【請求項６】
前記第２受信部は、前記設定情報サーバから前記設定情報の取得を促すメッセージを受信し、
前記認証処理部は、前記第２受信部で受信した前記設定情報の取得を促す前記メッセージに基づいて、前記設定情報サーバに対して前記事業者識別情報を含む前記認証要求を送信する請求項５に記載のアクセスポイント。
【請求項７】
前記認証要求および前記認証応答はＲａｄｉｕｓプロトコルを用いたものである請求項５又は請求項６に記載のアクセスポイント。
【請求項８】
前記設定情報の取得を促す前記メッセージは、Ｒａｄｉｕｓ  ＣｏＡ  Ｒｅｑｕｅｓｔである請求項６に記載のアクセスポイント。
【請求項９】
利用者端末と無線ＬＡＮサービスを提供するための無線通信を行う無線通信部を備えるアクセスポイントと、前記アクセスポイントにおける前記無線通信に関する設定の情報である設定情報を前記アクセスポイントに対して提供する設定情報サーバとを備える通信設定システムであって、
前記設定情報サーバは、
前記無線ＬＡＮサービスを前記利用者端末に対して提供する事業者を識別する事業者識別情報と、前記設定情報とを関連付けて格納する設定情報格納部と、
前記アクセスポイントから前記事業者識別情報を含む前記利用者端末が前記無線ＬＡＮサービスを利用するための認証を要求する認証要求を受信する第１受信部と、
前記第１受信部が受信した前記認証要求に含まれる前記事業者識別情報に基づいて前記設定情報格納部から前記事業者識別情報に関連付けられた設定情報を取得して、取得した設定情報を含む前記認証要求に応答する認証応答を前記アクセスポイントへ送信する設定情報処理部と、
を備え、
前記アクセスポイントは、
前記設定情報サーバに対して、前記事業者識別情報を含む前記認証要求を送信する認証処理部と、
前記設定情報サーバより前記認証要求に対する応答として、前記認証要求に含まれる前記事業者識別情報に対応する前記設定情報を含む認証応答を受信する第２受信部と、
前記第２受信部が受信した前記認証応答に含まれる前記設定情報に応じて前記無線通信部に対して無線通信の設定を行う通信設定部と、
をさらに備える通信設定システム。
【請求項１０】
利用者端末に対してアクセスポイントを利用して無線ＬＡＮサービスを提供する事業者を識別する事業者識別情報と、前記アクセスポイントの無線通信の設定に関する情報である設定情報とを関連付けて格納する設定情報格納部を備える情報提供サーバを用いた情報提供方法であって、
前記アクセスポイントから前記事業者識別情報を含み前記利用者端末が前記無線ＬＡＮサービスを利用するための認証を要求する認証要求を受信する受信ステップと、
前記受信ステップにおいて受信した前記認証要求に含まれる前記事業者識別情報に基づいて前記設定情報格納部から前記事業者識別情報に関連付けられた設定情報を取得する取得ステップと、
前記取得ステップにおいて取得した設定情報を含む前記認証要求に応答する認証応答を前記アクセスポイントへ送信する設定情報送信ステップと、
を有する情報提供方法。
【請求項１１】
利用者端末と無線ＬＡＮサービスを提供するための無線通信を行う無線通信部を備えたアクセスポイントを用いた通信設定方法であって、
前記無線ＬＡＮサービスを提供する事業者を識別する事業者識別情報と、前記無線通信部における無線通信の設定に関する情報である設定情報とを関連付けて保持する設定情報サーバに対して、前記事業者識別情報を含み前記利用者端末が前記無線ＬＡＮサービスを利用するための認証を要求する認証要求を送信する認証処理ステップと、
前記設定情報サーバより前記認証要求に対する応答として、前記認証要求に含まれる前記事業者識別情報に対応する前記設定情報を含む認証応答を受信する受信ステップと、
前記受信ステップにおいて受信した前記認証応答に含まれる前記設定情報に応じて前記無線通信部に対して無線通信の設定を行う通信設定ステップと、
を有する通信設定方法。
【請求項１２】
利用者端末に対してアクセスポイントを利用して無線ＬＡＮサービスを提供する事業者を識別する事業者識別情報と、前記アクセスポイントの無線通信の設定に関する情報である設定情報とを関連付けて格納する設定情報格納部を備える情報提供サーバで実行される情報提供プログラムであって、
前記アクセスポイントから前記事業者識別情報を含み前記利用者端末が前記無線ＬＡＮサービスを利用するための認証を要求する認証要求を受信する受信ステップと、
前記受信ステップにおいて受信した前記認証要求に含まれる前記事業者識別情報に基づいて前記設定情報格納部から前記事業者識別情報に関連付けられた設定情報を取得する取得ステップと、
前記取得ステップにおいて取得した設定情報を含む前記認証要求に応答する認証応答を前記アクセスポイントへ送信する設定情報送信ステップと、
をコンピュータに実行させるための情報提供プログラム。
【請求項１３】
利用者端末と無線ＬＡＮサービスを提供するための無線通信を行う無線通信部を備えたアクセスポイントで実行される通信設定プログラムであって、
前記無線ＬＡＮサービスを提供する事業者を識別する事業者識別情報と、前記無線通信部における無線通信の設定に関する情報である設定情報とを関連付けて保持する設定情報サーバに対して、前記事業者識別情報を含み前記利用者端末が前記無線ＬＡＮサービスを利用するための認証を要求する認証要求を送信する認証処理ステップと、
前記設定情報サーバより前記認証要求に対する応答として、前記認証要求に含まれる前記事業者識別情報に対応する前記設定情報を含む認証応答を受信する受信ステップと、
前記受信ステップにおいて受信した前記認証応答に含まれる前記設定情報に応じて前記無線通信部に対して無線通信の設定を行う通信設定ステップと、
をコンピュータに実行させるための通信設定プログラム。
【発明の詳細な説明】
【技術分野】
【０００１】
本発明は、設定情報サーバ、アクセスポイント、通信設定システム、情報提供方法、通信設定方法、情報提供プログラム及び通信設定プログラムに関する。
【背景技術】
【０００２】
移動体回線網を持たないで、実際に移動体回線網を保有する事業者である移動体通信事業者から移動体回線網を借りて、自社ブランドで通信サービスをユーザ端末に提供する事業者としてＭＶＮＯ（Mobile Virtual Network Operator；仮想移動体通信事業者）がある。移動体通信事業者は、ＭＶＮＯに対して移動体回線網だけでなく無線ＬＡＮサービスを提供するためのアクセスポイント自体を貸し出すことを初めている。ＭＶＮＯは、アクセルポイントを借りることで、例えばＷｉ−Ｆｉ（登録商標）サービス等の無線ＬＡＮサービスを自社ブランドでユーザ端末に提供することができる。
【０００３】
アクセスポイントにはＷｉ−Ｆｉ（登録商標）サービスを提供するために、ＳＳＩＤ（Service Set Identifier）や暗号化方式等を含む設定情報が設定される。すなわち、アクセスポイントは、設定された設定情報に応じて利用者の無線端末に対してＷｉ−Ｆｉ（登録商標）サービスとしての無線通信を行うことができる。
【０００４】
複数のＭＶＮＯが無線ＬＡＮサービスを自社ブランドで提供する場合は、各アクセスポイントには、各アクセスポイントを借りているＭＶＮＯに応じた設定情報を設定する必要がある。しかし、従来のアクセスポイントに設定される設定情報は、一度設定すると変更できない固定の情報であった。そのため、従来のアクセスポイントは、一度あるＭＶＮＯに応じた設定情報に設定すると、別のＭＶＮＯに応じた設定情報へと変更することができなかった。すなわち、無線ＬＡＮサービスを提供するアクセスポイントに対して設定情報の変更を行うことができなかった。
【先行技術文献】
【特許文献】
【０００５】
【特許文献１】特開２０１４−０９６８０１号公報
【特許文献２】特開２００７−２４３６７７号公報
【特許文献３】特開２０１４−１１２９０８号公報
【発明の概要】
【発明が解決しようとする課題】
【０００６】
上記事情に鑑み、本発明は、無線ＬＡＮサービスを提供するアクセスポイントに対して設定情報の変更を行うことができる設定情報サーバ、アクセスポイント、通信設定システム、情報提供方法、通信設定方法、情報提供プログラム及び通信設定プログラムを提供することを目的としている。
【課題を解決するための手段】
【０００７】
本発明の一態様は、利用者端末に対してアクセスポイントを利用して無線ＬＡＮサービスを提供する事業者を識別する事業者識別情報と、前記アクセスポイントの無線通信の設定に関する情報である設定情報とを関連付けて格納する設定情報格納部と、前記アクセスポイントから前記事業者識別情報を含み前記利用者端末が前記無線ＬＡＮサービスを利用するための認証を要求する認証要求を受信する第１受信部と、前記第１受信部が受信した前記認証要求に含まれる前記事業者識別情報に基づいて前記設定情報格納部から前記事業者識別情報に関連付けられた設定情報を取得して、取得した設定情報を含む前記認証要求に応答する認証応答を前記アクセスポイントへ送信する設定情報処理部と、を備える設定情報サーバである。
【０００８】
本発明の一態様は、上記の設定情報サーバであって、前記アクセスポイントに関する情報を前記事業者識別情報と関連付けて格納するアクセスポイント情報格納部をさらに備え、前記設定情報処理部は、前記アクセスポイント情報格納部を参照して前記設定情報を更新する事業者の前記事業者識別情報に対応するアクセスポイントを特定して、特定したアクセスポイントに対して前記設定情報の取得を促すメッセージを送信する。
【０００９】
本発明の一態様は、上記の設定情報サーバであって、前記認証要求および前記認証応答はＲａｄｉｕｓプロトコルを用いたものである。
【００１０】
本発明の一態様は、上記の設定情報サーバであって、前記設定情報の取得を促す前記メッセージは、Ｒａｄｉｕｓ  ＣｏＡ  Ｒｅｑｕｅｓｔである。
【００１１】
本発明の一態様は、利用者端末と無線ＬＡＮサービスを提供するための無線通信を行う無線通信部と、前記無線ＬＡＮサービスを提供する事業者を識別する事業者識別情報と、前記無線通信部における無線通信の設定に関する情報である設定情報とを関連付けて保持する設定情報サーバに対して、前記事業者識別情報を含み前記利用者端末が前記無線ＬＡＮサービスを利用するための認証を要求する認証要求を送信する認証処理部と、前記設定情報サーバより前記認証要求に対する応答として、前記認証要求に含まれる前記事業者識別情報に対応する前記設定情報を含む認証応答を受信する第２受信部と、前記第２受信部が受信した前記認証応答に含まれる前記設定情報に応じて前記無線通信部に対して無線通信の設定を行う通信設定部と、を備えるアクセスポイントである。
【００１２】
本発明の一態様は、上記のアクセスポイントであって、前記第２受信部は、前記設定情報サーバから前記設定情報の取得を促すメッセージを受信し、前記認証処理部は、前記第２受信部で受信した前記設定情報の取得を促す前記メッセージに基づいて、前記設定情報サーバに対して前記事業者識別情報を含む前記認証要求を送信する。
【００１３】
本発明の一態様は、上記のアクセスポイントであって、前記認証要求および前記認証応答はＲａｄｉｕｓプロトコルを用いたものである。
【００１４】
本発明の一態様は、上記のアクセスポイントであって、前記設定情報の取得を促す前記メッセージは、Ｒａｄｉｕｓ  ＣｏＡ  Ｒｅｑｕｅｓｔである。
【００１５】
本発明の一態様は、利用者端末と無線ＬＡＮサービスを提供するための無線通信を行う無線通信部を備えるアクセスポイントと、前記アクセスポイントにおける前記無線通信に関する設定の情報である設定情報を前記アクセスポイントに対して提供する設定情報サーバとを備える通信設定システムであって、前記設定情報サーバは、前記アクセスポイントを利用して前記無線ＬＡＮサービスを利用者端末に対して提供する事業者を識別する事業者識別情報と、前記設定情報とを関連付けて格納する設定情報格納部と、前記アクセスポイントから前記事業者識別情報を含み前記利用者端末が前記無線ＬＡＮサービスを利用するための認証を要求する認証要求を受信する第１受信部と、前記第１受信部が受信した前記認証要求に含まれる前記事業者識別情報に基づいて前記設定情報格納部から前記事業者識別情報に関連付けられた設定情報を取得して、取得した設定情報を含む前記認証要求に応答する認証応答を前記アクセスポイントへ送信する設定情報処理部と、を備え、前記アクセスポイントは、前記設定情報サーバに対して、前記事業者識別情報を含む前記認証要求を送信する認証処理部と、前記設定情報サーバより前記認証要求に対する応答として、前記認証要求に含まれる前記事業者識別情報に対応する前記設定情報を含む認証応答を受信する第２受信部と、前記第２受信部が受信した前記認証応答に含まれる前記設定情報に応じて前記無線通信部に対して無線通信の設定を行う通信設定部と、をさらに備える通信設定システムである。
【００１６】
本発明の一態様は、利用者端末に対してアクセスポイントを利用して無線ＬＡＮサービスを提供する事業者を識別する事業者識別情報と、前記アクセスポイントの無線通信の設定に関する情報である設定情報とを関連付けて格納する設定情報格納部を備える情報提供サーバを用いた情報提供方法であって、前記アクセスポイントから前記事業者識別情報を含み前記利用者端末が前記無線ＬＡＮサービスを利用するための認証を要求する認証要求を受信する受信ステップと、前記受信ステップにおいて受信した前記認証要求に含まれる前記事業者識別情報に基づいて前記設定情報格納部から前記事業者識別情報に関連付けられた設定情報を取得する取得ステップと、前記取得ステップにおいて取得した設定情報を含む前記認証要求に応答する認証応答を前記アクセスポイントへ送信する設定情報送信ステップと、を有する情報提供方法である。
【００１７】
本発明の一態様は、利用者端末と無線ＬＡＮサービスを提供するための無線通信を行う無線通信部を備えたアクセスポイントを用いた通信設定方法であって、前記無線ＬＡＮサービスを提供する事業者を識別する事業者識別情報と、前記無線通信部における無線通信の設定に関する情報である設定情報とを関連付けて保持する設定情報サーバに対して、前記事業者識別情報を含み前記利用者端末が前記無線ＬＡＮサービスを利用するための認証を要求する認証要求を送信する認証処理ステップと、前記設定情報サーバより前記認証要求に対する応答として、前記認証要求に含まれる前記事業者識別情報に対応する前記設定情報を含む認証応答を受信する受信ステップと、前記受信ステップにおいて受信した前記認証応答に含まれる前記設定情報に応じて前記無線通信部に対して無線通信の設定を行う通信設定ステップと、を有する通信設定方法である。
【００１８】
本発明の一態様は、利用者端末に対してアクセスポイントを利用して無線ＬＡＮサービスを提供する事業者を識別する事業者識別情報と、前記アクセスポイントの無線通信の設定に関する情報である設定情報とを関連付けて格納する設定情報格納部を備える情報提供サーバで実行される情報提供プログラムであって、前記アクセスポイントから前記事業者識別情報を含み前記利用者端末が前記無線ＬＡＮサービスを利用するための認証を要求する認証要求を受信する受信ステップと、前記受信ステップにおいて受信した前記認証要求に含まれる前記事業者識別情報に基づいて前記設定情報格納部から前記事業者識別情報に関連付けられた設定情報を取得する取得ステップと、前記取得ステップにおいて取得した設定情報を含む前記認証要求に応答する認証応答を前記アクセスポイントへ送信する設定情報送信ステップと、をコンピュータに実行させるための情報提供プログラムである。
【００１９】
本発明の一態様は、利用者端末と無線ＬＡＮサービスを提供するための無線通信を行う無線通信部を備えたアクセスポイントで実行される通信設定プログラムであって、前記無線ＬＡＮサービスを提供する事業者を識別する事業者識別情報と、前記無線通信部における無線通信の設定に関する情報である設定情報とを関連付けて保持する設定情報サーバに対して、前記事業者識別情報を含み前記利用者端末が前記無線ＬＡＮサービスを利用するための認証を要求する認証要求を送信する認証処理ステップと、前記設定情報サーバより前記認証要求に対する応答として、前記認証要求に含まれる前記事業者識別情報に対応する前記設定情報を含む認証応答を受信する受信ステップと、前記受信ステップにおいて受信した前記認証応答に含まれる前記設定情報に応じて前記無線通信部に対して無線通信の設定を行う通信設定ステップと、をコンピュータに実行させるための通信設定プログラムである。
【発明の効果】
【００２０】
本発明により、無線ＬＡＮサービスを提供するアクセスポイントに対して設定情報の変更を行うことができる。
【図面の簡単な説明】
【００２１】
【図１】本実施形態における設定情報サーバと、アクセスポイントとを備える通信設定システムの構成例を示すブロック図である。
【図２】本実施形態の通信設定システム１が備える設定情報サーバ２及びアクセスポイント３の構成例を示す図である。
【図３】事業者コード及び設定情報の具体例及び設定情報ＤＢ２１の構成例を示す図である。
【図４】アクセスポイント情報ＤＢ２２の構成例を示す図である。
【図５】本実施形態の通信設定システム１の第１の動作を示すシーケンス図である。
【図６】本実施形態の通信設定システム１の第２の動作を示すシーケンス図である。
【図７】設定情報処理部２３１が生成するＲａｄｉｕｓ  ＣｏＡメッセージの構成例を示す図である。
【図８】設定情報取得部３２２が生成するＲａｄｉｕｓ  Ａｃｃｅｓｓメッセージの構成例を示す図である。
【図９】設定情報サーバ２及びアクセスポイント３における処理を示すフロー図である。
【図１０】通信設定システム１Ａが備える設定情報サーバ２Ａ及びアクセスポイント３Ａの構成例を示す図である。
【図１１】設定情報ＤＢ２１Ａの構成例を示す図である。
【発明を実施するための形態】
【００２２】
以下、図面を参照して、本発明に係る一実施形態における設定情報サーバと、アクセスポイントとを備える通信設定システムについて説明する。
＜通信設定システム１の構成＞
図１は、本実施形態における設定情報サーバと、アクセスポイントとを備える通信設定システムの構成例を示すブロック図である。図１に示すように、本実施形態の通信設定システム１は、設定情報サーバ２と、アクセスポイント３−１、３−２、３−３、…（以下、アクセスポイント３とする。）とを備える。
【００２３】
設定情報サーバ２は、通信ネットワーク６を介してアクセスポイント３と通信可能であり、設定情報ＤＢ（データベース）２１を備える。アクセスポイント３は、ユーザ端末４−１、４−２、４−３、…（以下、ユーザ端末４とする。）に対して例えばＷｉ−Ｆｉ（登録商標）サービス等の無線ＬＡＮサービスを提供する。ユーザ端末４は、アクセスポイント３と無線通信可能な無線通信端末であって、例えば、ユーザが利用するＷｉ−Ｆｉ（登録商標）通信機能を備えた携帯電話である。
【００２４】
設定情報サーバ２は、アクセスポイント３に対して無線ＬＡＮサービスを提供するために必要な設定情報を提供する機能を有する。設定情報サーバ２は、アクセスポイント３からユーザ認証に関する要求を受信して認証処理を行う認証サーバとしての機能を有する。
【００２５】
アクセスポイント３は、例えば移動体通信事業者から移動体回線網を借りて自社ブランドで通信サービスを行う仮想移動体通信事業者（ＭＶＮＯ）に、移動体通信事業者が貸し出しているものである。アクセスポイント３は、ＭＶＮＯが自社ブランドでユーザ端末４に対して無線ＬＡＮサービスを提供するために、例えばユーザの自宅等に設置される。
【００２６】
アクセスポイント３は、インターネット７へ接続するための無線ＬＡＮサービスをユーザ端末４へ提供する装置である。アクセスポイント３は、無線ＬＡＮを利用するユーザ端末４に対して認証を行う機能を有する。アクセスポイント３は、通信ネットワーク６に接続されており、認証したユーザ端末４のみを通信ネットワーク６及びゲートウェイサーバ５経由でインターネット７へ接続する。
【００２７】
本実施形態では、例えばＭＶＮＯとしてＡ社、Ｂ社、Ｃ社があり、アクセスポイント３−１は、Ａ社のアクセスポイントであり、アクセスポイント３−２は、Ｂ社のアクセスポイントであり、アクセスポイント３−３は、Ｃ社のアクセスポイントであるとする。すなわち、アクセスポイント３−１は、Ａ社のアクセスポイントとして動作するために必要な設定情報が設定されている。同様に、アクセスポイント３−２は、Ｂ社のアクセスポイントとして動作するために必要な設定情報が設定されており、アクセスポイント３−３は、Ｃ社のアクセスポイントとして動作するために必要な設定情報が設定されている。
【００２８】
適切な設定情報が設定されることによりアクセスポイント３−１は、ＭＶＮＯのＡ社の無線ＬＡＮサービスをユーザ端末４−１へ提供する。同様に、アクセスポイント３−２は、ＭＶＮＯのＢ社の無線ＬＡＮサービスをユーザ端末４−２へ提供し、アクセスポイント３−３は、ＭＶＮＯのＣ社の無線ＬＡＮサービスをユーザ端末４−３へ提供する。
【００２９】
設定情報ＤＢ２１は、ＭＶＮＯを識別する事業者コードに関連付けて、各ＭＶＮＯに対応してアクセスポイント３に設定される設定情報を記録する。これにより、設定情報サーバ２は、設定情報ＤＢ２１から特定のＭＶＮＯの設定情報を取得して、アクセスポイント３に対して特定のＭＶＮＯの設定情報を送信することができる。
【００３０】
ユーザ端末４は、各ＭＶＮＯに対応する設定情報が設定されたアクセスポイント３と無線通信可能な無線通信端末であって、ＭＶＮＯが提供する通信サービスを利用するＭＶＮＯ端末である。ユーザ端末４−１は、Ａ社が提供する通信サービスを利用する利用者のＭＶＮＯ端末である。ユーザ端末４−２は、Ｂ社が提供する通信サービスを利用する利用者のＭＶＮＯ端末である。ユーザ端末４−３は、Ｃ社が提供する通信サービスを利用する利用者のＭＶＮＯ端末である。
【００３１】
ゲートウェイサーバ５は、通信ネットワーク６内に設置されたゲートウェイ機能を有するサーバであって、通信ネットワーク６の通信プロトコルに応じた通信データと、インターネット７の通信プロトコルに応じた通信データとの相互の変換を行う。
【００３２】
通信ネットワーク６は、通信事業者が提供する移動体通信ネットワークであり、例えば、ＮＧＮ（次世代ネットワーク）等のＩＰ（Internet Protocol）ネットワークである。インターネット７は、複数のネットワークを相互に接続したコンピュータネットワークであり、例えば、ＩＳＰ（Internet Service Provider）が提供するインターネット接続サービスを利用することでコンピュータ端末等から接続することができる。
【００３３】
＜設定情報サーバ２及びアクセスポイント３の構成＞
次に、本実施形態の通信設定システム１が備える設定情報サーバ２及びアクセスポイント３の構成例について説明する。
図２は、本実施形態の通信設定システム１が備える設定情報サーバ２及びアクセスポイント３の構成例を示す図である。なお、ゲートウェイサーバ５は、公知の装置であるので、外部とのインタフェース機能についてのみ簡単に説明する。ゲートウェイサーバ５は、ＷＡＮ  ＩＦ（インタフェース）５１、５２を備える。ＷＡＮ  ＩＦ５１は、通信ネットワーク６を介してアクセスポイント３と接続するためのインタフェース部である。ＷＡＮ  ＩＦ５２は、インターネット７と接続するためのインタフェース部である。
【００３４】
＜＜設定情報サーバ２の構成＞＞
図２に示すように、設定情報サーバ２は、設定情報ＤＢ２１と、アクセスポイント情報ＤＢ２２と、第１認証機能部２３と、ＷＡＮ  ＩＦ２４とを備える。設定情報ＤＢ２１は、ＭＶＮＯを識別する事業者コードに関連付けて、アクセスポイント３に設定される各ＭＶＮＯに対応する設定情報を記録する。ここで、事業者コード及び設定情報の具体例を示して設定情報ＤＢ２１の構成例について説明する。図３は、事業者コード及び設定情報の具体例及び設定情報ＤＢ２１の構成例を示す図である。
【００３５】
図３に示すように、設定情報ＤＢ２１は、事業者コード２１１として、ＭＶＮＯを特定するコードである事業者コードを記録している。設定情報ＤＢ２１は、設定情報２１２として、無線ＬＡＮにおけるアクセスポイント３の識別名であるＳＳＩＤ（Service Set Identifier）名、アクセスポイント３が用いる暗号化方式、アクセスポイント３が用いる事前共有鍵、アクセスポイント３が用いる認証方式、…等の情報を記録している。
【００３６】
設定情報ＤＢ２１は、事業者コード２１１に含まれる各事業者コードに対応付けて、設定情報２１２に含まれる各設定情報２１２ａ〜２１２ｃを記録している。具体的には、事業者コード＝ＡＡＡは、事業者コード＝ＡＡＡで特定されるＭＶＮＯ（Ａ社）の設定情報２１２ａと対応付けて記録されている。事業者コード＝ＢＢＢは、事業者コード＝ＢＢＢで特定されるＭＶＮＯ（Ｂ社）の設定情報２１２ｂと対応付けて記録されている。事業者コード＝ＣＣＣは、事業者コード＝ＣＣＣで特定されるＭＶＮＯ（Ｃ社）の設定情報２１２ｃと対応付けて記録されている。
【００３７】
設定情報２１２ａは、ＳＳＩＤ名＝ＡＡＡ＿ＩＤ、暗号化方式＝ＷＰＡ（Wi-Fi Protected Access）、事前共有鍵＝ａａａ、認証方式＝認証方式Ａ、…を含む。設定情報２１２ｂは、ＳＳＩＤ名＝ＢＢＢ＿ＩＤ、暗号化方式＝ＷＥＰ（Wired Equivalent Privacy）、事前共有鍵＝ｂｂｂ、認証方式＝認証方式Ｂ、…を含む。設定情報２１２ｃは、ＳＳＩＤ名＝ＣＣＣ＿ＩＤ、暗号化方式＝ＷＰＡ２、事前共有鍵＝ｃｃｃ、認証方式＝認証方式Ｃ、…を含む。なお、図３に示す設定情報２１２が含む情報は、一例であり、アクセスポイント３に対して設定する必要がある情報であればどのような情報を含んでもよい。
【００３８】
図２におけるアクセスポイント情報ＤＢ２２の構成例について説明する。図４は、アクセスポイント情報ＤＢ２２の構成例を示す図である。図４に示すように、アクセスポイント情報ＤＢ２２は、ＭＶＮＯを識別する事業者コード２２１に関連付けて、アクセスポイント３のＩＰアドレス２２２及びＭＡＣアドレス２２３を記録する。ＩＰアドレス２２２とは、インターネットプロトコルにおいてパケットを送受信するアクセスポイント３を判別するための番号である。ＭＡＣアドレス２２３とは、ネットワーク上で各ノードを識別するために設定されているアドレスであって、アクセスポイント３に割り当てられる物理アドレスである。なお、図４に示した事業者コード２２１は、図３に示した事業者コード２１１と対応している。
【００３９】
アクセスポイント情報ＤＢ２２は、事業者コード＝ＡＡＡに対して、事業者コード＝ＡＡＡで特定されるＭＶＮＯのアクセスポイント３−１のＩＰアドレス２２２である「ＸＸ．ＸＸ．ＸＸ．ＸＸ」及びＭＡＣアドレス２２３である「ＡＡ：ＢＢ：ＣＣ・・・」を関連付けて記録する。アクセスポイント情報ＤＢ２２は、事業者コード＝ＢＢＢに対して、事業者コード＝ＢＢＢで特定されるＭＶＮＯのアクセスポイント３−２のＩＰアドレス２２２である「ＹＹ．ＹＹ．ＹＹ．ＹＹ」及びＭＡＣアドレス２２３である「ＡＡ：ＢＢ：ＤＤ・・・」を関連付けて記録する。アクセスポイント情報ＤＢ２２は、事業者コード＝ＣＣＣに対して、事業者コード＝ＣＣＣで特定されるＭＶＮＯのアクセスポイント３−３のＩＰアドレス２２２である「ＺＺ．ＺＺ．ＺＺ．ＺＺ」及びＭＡＣアドレス２２３である「ＡＡ：ＢＢ：ＥＥ・・・」を関連付けて記録する。
【００４０】
第１認証機能部２３は、各ユーザ端末４に対するユーザ認証を要求する認証要求を、アクセスポイント３から受信して、受信した認証要求に対して所定の認証方式で認証処理を行う。具体的には、第１認証機能部２３は、アクセスポイント３からの認証要求に対してＲａｄｉｕｓプロトコルを用いた認証処理を行う。ＷＡＮ  ＩＦ２４は、通信ネットワーク６を介してアクセスポイント３と接続するためのインタフェース部である。ＷＡＮ  ＩＦ２４は、アクセスポイント３を管理するＭＶＮＯの事業者コードを含むレルム情報を備えるＲａｄｉｕｓプロトコルの認証要求を、アクセスポイント３から受信する。
【００４１】
第１認証機能部２３は、Ｒａｄｉｕｓプロトコルを用いた認証シーケンスを利用してＭＶＮＯに対応する設定情報２１２をアクセスポイント３へ送信する設定情報処理部２３１を備える。設定情報処理部２３１は、ＷＡＮ  ＩＦ２４が受信したレルム情報に含まれる事業者コードに基づいて設定情報ＤＢ２１を参照することで、当該事業者コードに対応した設定情報２１２を特定する。設定情報処理部２３１は、Ｒａｄｉｕｓプロトコルにおいて権限情報の変更に用いるＣｏＡメッセージを活用し、設定情報サーバ２側からアクセスポイント３に対して設定情報の変更を促すことができる。設定情報処理部２３１は、特定した設定情報２１２をＲａｄｉｕｓプロトコルの認証応答パケットに含めてアクセスポイント３へ返信する。
【００４２】
＜＜アクセスポイント３の構成＞＞
アクセスポイント３は、無線機能部３１と、第２認証機能部３２と、ＷＬＡＮ  ＩＦ（インタフェース）３３と、ＷＡＮ  ＩＦ３４とを備える。無線機能部３１は、設定された設定情報に応じたＳＳＩＤ、暗号化方式、事前共有鍵及び認証方式を用いてユーザ端末４と無線ＬＡＮによる無線通信を行う。第２認証機能部３２は、ユーザ端末４のユーザ認証を行うために所定の認証方式に準じて設定情報サーバ２と通信を行う。具体的には、第２認証機能部３２は、ユーザ端末４の認証を行うためにＲａｄｉｕｓプロトコルを用いて認証サーバである設定情報サーバ２と通信を行う。ＷＬＡＮ  ＩＦ３３は、ユーザ端末４と無線通信を行うためのインタフェース部である。ＷＡＮ  ＩＦ３４は、通信ネットワーク６を介して設定情報サーバ２及びゲートウェイサーバ５と接続するためのインタフェース部である。
【００４３】
次に、アクセスポイント３において、設定情報サーバ２からＷＡＮ  ＩＦ３４が受信した設定情報２１２の処理に関する構成について説明する。
第２認証機能部３２は、設定情報サーバ２から設定情報２１２を取得し、取得した設定情報２１２を無線機能部３１へ出力する機能を有する。無線機能部３１は、第２認証機能部３２が出力した設定情報２１２に基づいて無線通信の設定を行う通信設定機能部３１１を備える。
【００４４】
第２認証機能部３２は、認証処理部３２１と、設定情報取得部３２２とを備える。認証処理部３２１は、ユーザ端末４の認証を行うためにＲａｄｉｕｓプロトコルを用いて認証サーバである設定情報サーバ２と認証に必要な情報の送受信を行う。設定情報取得部３２２は、Ｒａｄｉｕｓプロトコルの認証要求を用いて設定情報サーバ２からＷＡＮ  ＩＦ３４を介して設定情報２１２を取得する。設定情報取得部３２２は、ＭＶＮＯの事業者コードを含むレルム情報を備えるＲａｄｉｕｓプロトコルの認証要求を設定情報サーバ２へ送信することで、設定情報２１２を取得する。通信設定機能部３１１は、設定情報取得部３２２が取得した設定情報２１２に応じた無線通信の設定を行う。
【００４５】
＜通信設定システム１の第１の動作＞
次に、通信設定システム１の動作において、アクセスポイント３が設定情報サーバ２へ設定情報を要求する場合の動作を第１の動作として説明する。
図５は、本実施形態の通信設定システム１の第１の動作を示すシーケンス図である。図５に示すように、設定情報取得部３２２は、第１の条件に基づいて設定情報サーバ２から認証情報を取得すべきタイミングとなる情報取得契機であると判断する（ステップＳ１０１）。ここで、第１の条件とは、アクセスポイント３を起動等したことに応じて装置の初期化を行ったか否か、１日１回の決められた時刻となったか否か等である。このように第１の条件は、アクセスポイント３が設定情報サーバ２から最新の設定情報を取得する必要があるタイミングや、アクセスポイント３が設定情報サーバ２から最新の設定情報を取得するための適切なタイミングを判断できるものがよい。
【００４６】
設定情報取得部３２２は、Ｒａｄｉｕｓプロトコルの認証要求であり、アクセスポイント３のＭＶＮＯを特定する事業者コードを含むレルム情報を備える「Ｒａｄｉｕｓ  Ａｃｃｅｓｓ  Ｒｅｑｕｅｓｔ」メッセージを設定情報サーバ２へＷＡＮ  ＩＦ３４を介して送信する（ステップＳ１０２）。これにより、設定情報サーバ２のＷＡＮ  ＩＦ２４は、認証要求である「Ｒａｄｉｕｓ  Ａｃｃｅｓｓ  Ｒｅｑｕｅｓｔ」メッセージを受信する。
【００４７】
設定情報処理部２３１は、ＷＡＮ  ＩＦ２４が受信した認証要求に含まれる事業者コードに対応した設定情報２１２を特定して、特定した設定情報２１２を含むＲａｄｉｕｓプロトコルの認証応答である「Ｒａｄｉｕｓ  Ａｃｃｅｓｓ  Ａｃｃｅｐｔ」メッセージをアクセスポイント３へ返信する（ステップＳ１０３）。これにより、アクセスポイント３のＷＡＮ  ＩＦ３４は、設定情報２１２を含む「Ｒａｄｉｕｓ  Ａｃｃｅｓｓ  Ａｃｃｅｐｔ」メッセージを受信する。
【００４８】
設定情報取得部３２２は、ＷＡＮ  ＩＦ３４が受信した「Ｒａｄｉｕｓ  Ａｃｃｅｓｓ  Ａｃｃｅｐｔ」メッセージから設定情報２１２を取得する（ステップＳ１０４）。これにより、第２認証機能部３２は、取得した設定情報２１２を通信設定機能部３１１へ出力する。通信設定機能部３１１は、設定情報取得部３２２から受け取った設定情報２１２に応じた無線通信の設定を行う（ステップＳ１０４）。これにより、無線機能部３１は、設定された設定情報２１２に応じた無線通信をユーザ端末４と行うことができる。
【００４９】
無線機能部３１は、ユーザ端末４に対して、ユーザ端末４を帰属させるためのＳＳＩＤ情報を含めた信号であるＢｅａｃｏｎ信号を送信する（ステップＳ１０５）。これにより、ユーザ端末４は、アクセスポイント３に帰属する（ステップＳ１０６）。ユーザ端末４は、ゲートウェイサーバ５を介して、インターネット７に接続する（ステップＳ１０７）。
【００５０】
以上により、アクセスポイント３は、初期化や所定の時刻のタイミングで、最新の設定情報２１２を取得して、取得した設定情報２１２を設定し、その設定に応じた無線ＬＡＮサービスを提供することができる。なお、設定情報取得部３２２が情報取得契機の判断を行う構成を示したが、この構成に限られるものではない。例えば、アクセスポイント３が、装置内の動作を制御する制御部を備えており、その制御部が情報取得契機の判断を行い、その判断結果を設定情報取得部３２２に通知する構成であってもよい。設定情報取得部３２２は、通知された判断結果が情報取得契機であることを示す場合、ステップＳ１０２の処理を行う。
【００５１】
＜通信設定システム１の第２の動作＞
次に、通信設定システム１の動作において、設定情報サーバ２が、アクセスポイント３に対して設定情報を要求するよう促す場合の動作を第２の動作として説明する。
図６は、本実施形態の通信設定システム１の第２の動作を示すシーケンス図である。なお、図６におけるステップＳ１０１〜Ｓ１０７の処理は、図５に示したステップＳ１０１〜Ｓ１０７の処理と同じ内容であるので、図６におけるステップＳ１０１〜Ｓ１０７の処理の説明を簡略化する。また、図６の説明においては、Ｒａｄｉｕｓプロトコルのメッセージの具体例を示して説明する。
【００５２】
図６に示すように、設定情報処理部２３１は、第２の条件に基づいてアクセスポイント３の認証情報を更新すべきタイミングとなる情報更新契機であると判断する（ステップＳ２０１）。ここで、第２の条件とは、設定情報サーバ２の設定情報ＤＢ２１に記録されている設定情報２１２が更新されたか否かである。このように第２の条件は、設定情報サーバ２からアクセスポイント３の認証情報の更新を促した方が良いタイミングを判断できるものがよい。
【００５３】
設定情報処理部２３１は、アクセスポイント３に設定情報の取得を依頼するメッセージであって、ＲａｄｉｕｓプロトコルのＣｏＡメッセージである「Ｒａｄｉｕｓ  ＣｏＡ  Ｒｅｑｕｅｓｔ」メッセージをＷＡＮ  ＩＦ２４を介してアクセスポイント３へ送信する（ステップＳ２０２）。これにより、アクセスポイント３のＷＡＮ  ＩＦ３４は、設定情報の取得を依頼する「Ｒａｄｉｕｓ  ＣｏＡ  Ｒｅｑｕｅｓｔ」メッセージを受信する。設定情報処理部２３１は、アクセスポイント情報ＤＢ２２からアクセスポイント３のＭＡＣアドレス及びアクセスポイント３のＩＰアドレスを参照して「Ｒａｄｉｕｓ  ＣｏＡ  Ｒｅｑｕｅｓｔ」メッセージを生成する。
【００５４】
図７（ａ）は、設定情報処理部２３１が生成する「Ｒａｄｉｕｓ  ＣｏＡ  Ｒｅｑｕｅｓｔ」メッセージの構成例を示す図である。図７（ａ）に示すように、「Ｒａｄｉｕｓ  ＣｏＡ  Ｒｅｑｕｅｓｔ」メッセージ７１は、「Ｕｓｅｒ−Ｎａｍｅ」、「Ｃａｌｌｅｄ−Ｓｔａｔｉｏｎ−Ｉｄ」及び「ＮＡＳ−ＩＰ−Ａｄｄｒｅｓｓ」、…を含む。
【００５５】
「Ｕｓｅｒ−Ｎａｍｅ」とは、ユーザの名称の属性に応じた情報であり、例えば“ｕｓｅｒ＠事業者コード”である。「Ｃａｌｌｅｄ−Ｓｔａｔｉｏｎ−Ｉｄ」とは、アクセスポイント３を識別する識別子の属性に応じた情報であり、例えば“アクセスポイント３のＭＡＣアドレス”である。「ＮＡＳ−ＩＰ−Ａｄｄｒｅｓｓ」とは、ＩＰアドレスの属性に応じた情報であり、例えば“アクセスポイント３のＩＰアドレス”である。
【００５６】
アクセスポイント３における設定情報取得部３２２は、「Ｒａｄｉｕｓ  ＣｏＡ  Ｒｅｑｕｅｓｔ」メッセージに応答して設定情報の取得を確認する「Ｒａｄｉｕｓ  ＣｏＡ  Ｒｅｓｐｏｎｓｅ」メッセージを設定情報サーバ２へ送信する（ステップＳ２０３）。これにより、設定情報サーバ２の第１認証機能部２３は、「Ｒａｄｉｕｓ  ＣｏＡ  Ｒｅｓｐｏｎｓｅ」メッセージを受け取る。
【００５７】
図７（ｂ）は、第１認証機能部２３が生成する「Ｒａｄｉｕｓ  ＣｏＡ  Ｒｅｓｐｏｎｓｅ」メッセージの構成例を示す図である。図７（ｂ）に示すように、「Ｒａｄｉｕｓ  ＣｏＡ  Ｒｅｓｐｏｎｓｅ」メッセージ７２は、「Ｕｓｅｒ−Ｎａｍｅ」、…を含む。「Ｕｓｅｒ−Ｎａｍｅ」とは、図７（ａ）の「Ｕｓｅｒ−Ｎａｍｅ」と同じ“ｕｓｅｒ＠事業者コード”である。
【００５８】
次に、設定情報取得部３２２は、ステップＳ１０２の「Ｒａｄｉｕｓ  Ａｃｃｅｓｓ  Ｒｅｑｕｅｓｔ」メッセージを生成して設定情報サーバ２へ送信する処理を行う。図８（ａ）は、設定情報取得部３２２が生成する「Ｒａｄｉｕｓ  Ａｃｃｅｓｓ  Ｒｅｑｕｅｓｔ」メッセージの構成例を示す図である。図８（ａ）に示すように、「Ｒａｄｉｕｓ  Ａｃｃｅｓｓ  Ｒｅｑｕｅｓｔ」メッセージ８１は、「Ｕｓｅｒ−Ｎａｍｅ」、「Ｃａｌｌｅｄ−Ｓｔａｔｉｏｎ−Ｉｄ」及び「ＮＡＳ−ＩＰ−Ａｄｄｒｅｓｓ」、…等の各属性に応じた情報を含む。図８（ａ）の「Ｕｓｅｒ−Ｎａｍｅ」とは、例えば“ｕｓｅｒ＠事業者コード”であり、＠以降の「事業者コード」の部分には、アクセスポイント３のＭＶＮＯを特定する事業者コードを含むレルム情報が含まれている。図８（ａ）の「Ｃａｌｌｅｄ−Ｓｔａｔｉｏｎ−Ｉｄ」及び「ＮＡＳ−ＩＰ−Ａｄｄｒｅｓｓ」は、図７（ａ）の「Ｃａｌｌｅｄ−Ｓｔａｔｉｏｎ−Ｉｄ」及び「ＮＡＳ−ＩＰ−Ａｄｄｒｅｓｓ」と同じものである。
【００５９】
次に、設定情報処理部２３１は、ステップＳ１０３において、事業者コードに対応した設定情報２１２を特定して、特定した設定情報２１２を含むＲａｄｉｕｓプロトコルの認証応答である「Ｒａｄｉｕｓ  Ａｃｃｅｓｓ  Ａｃｃｅｐｔ」メッセージを生成して、アクセスポイント３へ返信する。図８（ｂ）は、設定情報処理部２３１が生成する「Ｒａｄｉｕｓ  Ａｃｃｅｓｓ  Ａｃｃｅｐｔ」メッセージの構成例を示す図である。図８（ｂ）に示すように、「Ｒａｄｉｕｓ  Ａｃｃｅｓｓ  Ａｃｃｅｐｔ」メッセージ８２は、「Ｕｓｅｒ−Ｎａｍｅ」、「ＶＳＡ（Ｖｅｎｄｅｒ  Ｓｐｅｃｉｆｉｃ  Ａｔｔｒｉｂｕｔｅ）」、「ＶＳＡ（Ｖｅｎｄｅｒ  Ｓｐｅｃｉｆｉｃ  Ａｔｔｒｉｂｕｔｅ）」、「ＶＳＡ（Ｖｅｎｄｅｒ  Ｓｐｅｃｉｆｉｃ  Ａｔｔｒｉｂｕｔｅ）」、「ＶＳＡ（Ｖｅｎｄｅｒ  Ｓｐｅｃｉｆｉｃ  Ａｔｔｒｉｂｕｔｅ）」、…等の各属性に応じた情報を含む。
【００６０】
図８（ｂ）の「Ｕｓｅｒ−Ｎａｍｅ」は、図８（ａ）の「Ｕｓｅｒ−Ｎａｍｅ」と同じものである。図８（ｂ）の「ＶＳＡ（Ｖｅｎｄｅｒ  Ｓｐｅｃｉｆｉｃ  Ａｔｔｒｉｂｕｔｅ）」とは、各ＭＶＮＯに固有の情報の属性に応じた情報であり、例えば“ＳＳＩＤ名／暗号化方式／事前共有鍵／認証方式／…”である。この「ＶＳＡ」は、設定情報２１２に対応するものである。図８（ｂ）に示すように、「Ｒａｄｉｕｓ  Ａｃｃｅｓｓ  Ａｃｃｅｐｔ」メッセージ８２には、複数種類の設定情報２１２を含めてもよい。これにより、アクセスポイント３は、複数種類の設定情報２１２を通信状況等に応じて切り替えることができる。
【００６１】
以降、図５に示したステップＳ１０４〜ステップＳ１０７の処理と同様の処理を行い、通信設定システム１は、アクセスポイント３に対して更新された設定情報を設定することができる。これにより、通信設定システム１は、設定情報ＤＢ２１に記録されている設定情報２１２が更新された等の情報更新契機に応じて、設定情報２１２を対象となるアクセスポイント３に対して送信し、アクセスポイント３に最新の設定情報を設定することができる。
【００６２】
なお、設定情報処理部２３１が情報更新契機の判断を行う構成を示したが、この構成に限られるものではない。例えば、設定情報サーバ２が、装置内の動作を制御する制御部を備えており、その制御部が情報更新契機の判断を行い、その判断結果を設定情報処理部２３１に通知する構成であってもよい。設定情報処理部２３１は、通知された判断結果が情報更新契機であることを示す場合、ステップＳ２０２の処理を行う。
【００６３】
次に、設定情報サーバ２及びアクセスポイント３における処理について説明する。
図９は、設定情報サーバ２及びアクセスポイント３における処理を示すフロー図である。図９において、アクセスポイント３が情報取得契機を判断する処理（ステップＳ３０１）から始まる一連の動作は、図５に示した通信設定システム１の第１の動作に対応する。また、設定情報サーバ２が情報更新契機を判断する処理（ステップＳ４０１）から始まる一連の動作は、図６に示した通信設定システム１の第２の動作に対応する。
【００６４】
まず、通信設定システム１が第１の動作を行う場合の設定情報サーバ２及びアクセスポイント３における処理について説明する。
アクセスポイント３の設定情報取得部３２２は、第１の条件に基づいて情報取得契機であると判断する（ステップＳ３０１）。設定情報取得部３２２は、ＭＶＮＯを特定する事業者コードを含むＲａｄｉｕｓプロトコルの認証要求である「Ｒａｄｉｕｓ  Ａｃｃｅｓｓ  Ｒｅｑｕｅｓｔ」メッセージを設定情報サーバ２へ送信する（ステップＳ３０４）。これにより、設定情報サーバ２のＷＡＮ  ＩＦ２４は、認証要求である「Ｒａｄｉｕｓ  Ａｃｃｅｓｓ  Ｒｅｑｕｅｓｔ」メッセージを受信する（ステップＳ４０４）。
【００６５】
設定情報処理部２３１は、認証要求に含まれる事業者コードに対応した設定情報２１２を特定して、特定した設定情報２１２を含むＲａｄｉｕｓプロトコルの認証応答である「Ｒａｄｉｕｓ  Ａｃｃｅｓｓ  Ａｃｃｅｐｔ」メッセージをアクセスポイント３へ返信する（ステップＳ４０５）。これにより、アクセスポイント３のＷＡＮ  ＩＦ３４は、事業者コードに対応した設定情報２１２を含む「Ｒａｄｉｕｓ  Ａｃｃｅｓｓ  Ａｃｃｅｐｔ」メッセージを受信する（ステップＳ３０５）。
【００６６】
設定情報取得部３２２は、ＷＡＮ  ＩＦ３４が受信した「Ｒａｄｉｕｓ  Ａｃｃｅｓｓ  Ａｃｃｅｐｔ」メッセージから設定情報２１２を取得して通信設定機能部３１１へ出力する。通信設定機能部３１１は、設定情報取得部３２２から受け取った設定情報２１２に応じた設定を無線機能部３１に対して行う（ステップＳ３０６）。無線機能部３１は、ユーザ端末４に対して、ユーザ端末４を帰属させるためのＳＳＩＤ情報を含めた信号であるＢｅａｃｏｎ信号を送信する（ステップＳ３０７）。
【００６７】
以上の処理によって、アクセスポイント３は、初期化や所定の時刻のタイミングで、最新の設定情報２１２を取得して、取得した設定情報２１２を設定し、その設定に応じた無線ＬＡＮサービスを提供することができる。また、アクセスポイント３は、初期化や所定の時刻のタイミングで、無線ＬＡＮサービスを提供するＭＶＮＯに対応する設定情報２１２を取得することができる。また、アクセスポイント３が故障した場合においても、その故障を修理後の起動における初期化時にアクセスポイント３から設定情報サーバ２へ設定情報２１２を要求することで、アクセスポイント３のＭＶＮＯに応じた設定情報２１２を設定することができる。
【００６８】
次に、通信設定システム１が第２の動作を行う場合の設定情報サーバ２及びアクセスポイント３における処理について説明する。なお、アクセスポイント３におけるステップＳ３０４〜Ｓ３０７の処理、及び、設定情報サーバ２におけるステップＳ４０４、Ｓ４０５の処理は、上述した第１の動作を行う場合と同様であるので、説明を簡略化する。
【００６９】
設定情報サーバ２の設定情報処理部２３１は、第２の条件に基づいて情報更新契機であると判断する（ステップＳ４０１）。設定情報処理部２３１は、設定情報の取得を依頼する「Ｒａｄｉｕｓ  ＣｏＡ  Ｒｅｑｕｅｓｔ」メッセージをＷＡＮ  ＩＦ２４を介してアクセスポイント３へ送信する（ステップＳ４０２）。これにより、アクセスポイント３のＷＡＮ  ＩＦ３４は、設定情報の取得を依頼する「Ｒａｄｉｕｓ  ＣｏＡ  Ｒｅｑｕｅｓｔ」メッセージを受信する（ステップＳ３０２）。
【００７０】
アクセスポイント３の設定情報取得部３２２は、「Ｒａｄｉｕｓ  ＣｏＡ  Ｒｅｑｕｅｓｔ」メッセージに応答して設定情報の取得を確認する「Ｒａｄｉｕｓ  ＣｏＡ  Ｒｅｓｐｏｎｓｅ」メッセージを設定情報サーバ２へ送信する（ステップＳ３０３）。これにより、設定情報サーバ２の第１認証機能部２３は、「Ｒａｄｉｕｓ  ＣｏＡ  Ｒｅｓｐｏｎｓｅ」メッセージを受信する（ステップＳ４０３）。
【００７１】
ステップＳ３０４、Ｓ３０５において、アクセスポイント３は、ＭＶＮＯを特定する事業者コードを含む認証要求である「Ｒａｄｉｕｓ  Ａｃｃｅｓｓ  Ｒｅｑｕｅｓｔ」メッセージを設定情報サーバ２へ送信し、設定情報サーバ２から事業者コードに対応した設定情報２１２を含む認証応答である「Ｒａｄｉｕｓ  Ａｃｃｅｓｓ  Ａｃｃｅｐｔ」メッセージを受信する。ステップＳ３０６、Ｓ３０７において、アクセスポイント３は、受信した設定情報２１２に応じた設定を行い、ユーザ端末４に対してＢｅａｃｏｎ信号を送信する。
【００７２】
ステップＳ４０４、４０５において、設定情報サーバ２は、認証要求を受信して、受信した認証要求に含まれる事業者コードに対応した設定情報２１２を特定して、特定した設定情報２１２を含む認証応答をアクセスポイント３へ返信する。なお、アクセスポイント３は、「Ｒａｄｉｕｓ  ＣｏＡ  Ｒｅｑｕｅｓｔ」メッセージに応答して「Ｒａｄｉｕｓ  ＣｏＡ  Ｒｅｓｐｏｎｓｅ」メッセージを設定情報サーバ２へ送信し、その後に「Ｒａｄｉｕｓ  Ａｃｃｅｓｓ  Ｒｅｑｕｅｓｔ」メッセージを設定情報サーバ２へ送信しているが、「Ｒａｄｉｕｓ  ＣｏＡ  Ｒｅｑｕｅｓｔ」メッセージに応答して「Ｒａｄｉｕｓ  Ａｃｃｅｓｓ  Ｒｅｑｕｅｓｔ」メッセージを設定情報サーバ２へ送信する構成としてもよい。
【００７３】
通信設定システム１は、情報更新契機に応じて、アクセスポイント３に対して設定情報サーバ２に記録している設定情報を設定することができる。これにより、通信設定システム１は、設定情報サーバ２に記録されている設定情報２１２が更新された等の情報更新契機に応じて、設定情報２１２を対象となるアクセスポイント３に対して送信し、アクセスポイント３に最新の設定情報を設定することができる。また、設定情報サーバ２は、設定情報の取得を依頼する「Ｒａｄｉｕｓ  ＣｏＡ  Ｒｅｑｕｅｓｔ」メッセージをアクセスポイント３に対して送信することで、アクセスポイント３に対して設定情報の更新を促すことができる。
【００７４】
アクセスポイント３に対して遠隔から柔軟に設定情報を変更することができるので、各ＭＶＮＯは、利用ユーザに向けて独自のサービスを提供することが可能となる。また、アクセスポイント３が数百万台の規模で広く提供されていたとしても、本実施形態の通信設定システム１であれば、設定情報ＤＢ２１において数百万台のアクセスポイント３の設定情報を管理できるので、各アクセスポイント３へ適切な設定情報を設定することができる。
【００７５】
＜通信設定システム１の変形例＞
次に、災害時に対応したＳＳＩＤを含む設定情報を各アクセスポイントに設定できる機能を追加した構成の通信設定システムについて説明する。
図１０は、通信設定システム１Ａが備える設定情報サーバ２Ａ及びアクセスポイント３Ａの構成例を示す図である。なお、図１０の設定情報サーバ２Ａ及びアクセスポイント３Ａが、図２に示す設定情報サーバ２及びアクセスポイント３と異なる構成は、設定情報サーバ２Ａが設定情報ＤＢ２１Ａを備える点及びアクセスポイント３Ａが無線機能部３１Ａを備える点である。図１０の設定情報サーバ２Ａ及びアクセスポイント３Ａにおいて、図２と同じ符号が付与されたその他の構成は、同一の構成であるので説明を省略する。
【００７６】
設定情報ＤＢ２１Ａは、大規模災害時の通信インフラサポート手段として、ＭＶＮＯを含む移動体通信事業者等を問わず無料で無線ＬＡＮサービスを利用できる災害用統一ＳＳＩＤを含む設定情報が記録されている。図１１は、設定情報ＤＢ２１Ａの構成例を示す図である。なお、図１１の設定情報ＤＢ２１Ａが、図３に示す設定情報ＤＢ２１と異なる構成は、災害時に対応したＳＳＩＤを含む設定情報２１２ｄを含む点である。図１１の設定情報ＤＢ２１Ａにおいて、図３と同じ符号が付与されたその他の構成は、同一の構成であるので説明を省略する。
【００７７】
図１１に示すように、設定情報ＤＢ２１Ａは、事業者コード２１１Ａとして、ＭＶＮＯを特定するコードである事業者コード及び災害用統一ＳＳＩＤをアクセスポイント３に設定することに賛同した複数の事業者の事業者コードを含むコード群を記録している。設定情報ＤＢ２１は、設定情報２１２Ａとして、ＳＳＩＤ名、暗号化方式、事前共有鍵、認証方式、…等の情報と、災害用統一ＳＳＩＤ名、認証方式、…等の情報とを記録している。
【００７８】
設定情報ＤＢ２１Ａは、事業者コード２１１Ａに含まれる各事業者コードに対応付けて、設定情報２１２Ａに含まれる各設定情報２１２ａ〜２１２ｃを記録している。設定情報ＤＢ２１Ａは、事業者コード２１１Ａに含まれるコード群に対応付けて、設定情報２１２Ａに含まれる設定情報２１２ｄを記録している。設定情報２１２ｄは、災害用統一ＳＳＩＤ名＝０００００ＪＡＰＡＮと、認証方式＝オープン認証とを含む。
【００７９】
大規模災害が発生した場合は、設定情報サーバ２Ａから災害用統一ＳＳＩＤをアクセスポイント３Ａに設定することに賛同した複数の事業者の事業者コードに対応するアクセスポイント３Ａに対して、設定情報の取得を依頼する「Ｒａｄｉｕｓ  ＣｏＡ  Ｒｅｑｕｅｓｔ」メッセージを送信する。アクセスポイント３Ａは、「Ｒａｄｉｕｓ  ＣｏＡ  Ｒｅｑｕｅｓｔ」メッセージに応答して設定情報の取得を確認する「Ｒａｄｉｕｓ  ＣｏＡ  Ｒｅｓｐｏｎｓｅ」メッセージを設定情報サーバ２Ａへ送信する。
【００８０】
次に、アクセスポイント３Ａは、事業者コードを含む認証要求である「Ｒａｄｉｕｓ  Ａｃｃｅｓｓ  Ｒｅｑｕｅｓｔ」メッセージを設定情報サーバ２へ送信する。設定情報サーバ２Ａは、大規模災害発生時は、設定情報２１２ｄに対応するコード群を設定情報２１２ａ〜２１２ｃに対応する事業者コードよりも優先的に参照して、認証要求に含まれる事業者コードがコード群に含まれている場合は、設定情報２１２ｄを含む「Ｒａｄｉｕｓ  Ａｃｃｅｓｓ  Ａｃｃｅｐｔ」メッセージをアクセスポイント３Ａへ送信する。アクセスポイント３Ａは、受信した「Ｒａｄｉｕｓ  Ａｃｃｅｓｓ  Ａｃｃｅｐｔ」メッセージから設定情報２１２ｄを取得して、設定情報２１２ｄに応じた設定を無線機能部３１Ａに対して行う。
【００８１】
このように、通信設定システム１Ａは、災害発生時にアクセスポイント３Ａに対して、災害用統一ＳＳＩＤを含む設定情報２１２ｄへの変更を行うことができる。通信設定システム１Ａは、災害用統一ＳＳＩＤの利用に賛同するＭＶＮＯのアクセスポイント３Ａに対して、設定情報２１２ｄを設定することができる。
【００８２】
上述した実施形態における設定情報サーバ２、２Ａ及びアクセスポイント３、３Ａ内の各機能をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００８３】
以上、この発明の実施形態について図面を参照して詳述してきたが、具体的な構成はこの実施形態に限られるものではなく、この発明の要旨を逸脱しない範囲の設計等も含まれる。
【符号の説明】
【００８４】
１…通信設定システム，２、２Ａ…設定情報サーバ，３、３−１、３−２、３−３、３Ａ…アクセスポイント，４、４−１、４−２、４−３…ユーザ端末，５…ゲートウェイサーバ，６…通信ネットワーク，７…インターネット，２１、２１Ａ…設定情報ＤＢ，２２…アクセスポイント情報ＤＢ，２３…第１認証機能部，２４、３４、５１、５２…ＷＡＮ  ＩＦ，３１、３１Ａ…無線機能部，３２…第２認証機能部，３３…ＷＬＡＮ  ＩＦ，２１１、２１１Ａ、２２１…事業者コード，２１２、２１２Ａ、２１２ａ、２１２ｂ、２１２ｃ、２１２ｄ…設定情報，２２２…ＩＰアドレス，２２３…ＭＡＣアドレス，２３１…設定情報処理部，３１１、３１１Ａ…通信設定機能部，３２１…認証処理部，３２２…設定情報取得部
【図１】
2017050785.tif 000003
【図２】
2017050785.tif 000004
【図３】
2017050785.tif 000005
【図４】
2017050785.tif 000006
【図５】
2017050785.tif 000007
【図６】
2017050785.tif 000008
【図７】
2017050785.tif 000009
【図８】
2017050785.tif 000010
【図９】
2017050785.tif 000011
【図１０】
2017050785.tif 000012
【図１１】
2017050785.tif 000013